(57)【要約】      （修正有）【課題】ＬＥＤランプの体積を縮小しつつ、コストを減らす放熱構造を提供する。【解決手段】ＬＥＤランプ放熱構造は、一つ或いは複数の固定片１が設けられ、該固定片１に複数の挿入孔１１が設けられ、これら挿入孔１１が導電層１２で相互に連接され、複数のＬＥＤピン２１がこれら固定片の挿入孔に挿入されて、相互に離間した固定片の間が、ＬＥＤピンに嵌合されたスリーブにより位置決めされ、ＬＥＤピンが導電層にハンダ付けされ、ＬＥＤランプ１００が構成され、ＬＥＤランプが点灯する時、その作業熱が固定片の保留する一定長さのピン、及び固定片の導電層の形成する延伸面積により発散される。【選択図】図１
0003152237.tif 000002
【実用新案登録請求の範囲】
【請求項１】
ＬＥＤランプ放熱構造において、
導電層で相互に連接された複数の挿入孔が設けられた一つ或いは複数の固定片と、
該固定片の挿入孔にピンで挿入されて、該固定片の導電層にハンダ付けされる複数のＬＥＤと、
異なる位置のＬＥＤのピンに嵌合され、上端と下端が相互に離間した固定片の間に保持されて位置決めを形成するスリーブと、
が組み合わされて、ＬＥＤランプを構成し、ＬＥＤが点灯する時、その作業の発生する熱が該固定片間に保留された一定長さのピンと、該固定片の導電層の形成する延伸面積により発散されることを特徴とする、ＬＥＤランプ放熱構造。
【請求項２】
請求項１記載のＬＥＤランプ放熱構造において、該固定片が回路板とされ、該導電層が該回路板にレイアウトされた印刷回路とされたことを特徴とする、ＬＥＤランプ放熱構造。
【請求項３】
請求項２記載のＬＥＤランプ放熱構造において、該回路板の導電層である印刷回路が片面或いは両面に設けられることで、放熱面積が増大されたことを特徴とする、ＬＥＤランプ放熱構造。
【請求項４】
ＬＥＤランプ放熱構造において、
導電層で相互に連接された複数の挿入孔が設けられた複数の固定片と、
該固定片の挿入孔にピンで挿入されて、該固定片の導電層にハンダ付けされる複数のＬＥＤと、
両側に管状の嵌合部が設けられ、該嵌合部にスリットが設けられて、異なる位置のＬＥＤのピンが該嵌合部に嵌合され、上端と下端が相互に離間した固定片の間に保持されて位置決めを形成する放熱片と、
が組み合わされて、ＬＥＤランプを構成し、ＬＥＤが点灯する時、その作業の発生する熱が該固定片間に保留された一定長さのピンと、該固定片の導電層の形成する延伸面積、及び各ＬＥＤのピンを連接する放熱片により発散されることを特徴とする、ＬＥＤランプ放熱構造。
【請求項５】
請求項４記載のＬＥＤランプ放熱構造において、該固定片が回路板とされ、該導電層が該回路板にレイアウトされた印刷回路とされたことを特徴とする、ＬＥＤランプ放熱構造。
【請求項６】
請求項５記載のＬＥＤランプ放熱構造において、該回路板の導電層である印刷回路が片面或いは両面に設けられることで、放熱面積が増大されたことを特徴とする、ＬＥＤランプ放熱構造。
【請求項７】
ＬＥＤランプ放熱構造において、
導電層で相互に連接された複数の挿入孔が設けられた複数の固定片と、
該固定片の挿入孔にピンで挿入されて、該固定片の導電層にハンダ付けされる複数のＬＥＤと、
各ＬＥＤのピン間にハンダ付けにより固定される片体が設けられて、上端と下端が相互に離間した固定片の間に保持されて位置決めを形成する放熱片と、
が組み合わされて、ＬＥＤランプを構成し、ＬＥＤが点灯する時、その作業の発生する熱が該固定片間に保留された一定長さのピンと、該固定片の導電層の形成する延伸面積、及び各ＬＥＤのピンを連接する放熱片により発散されることを特徴とする、ＬＥＤランプ放熱構造。
【請求項８】
請求項７記載のＬＥＤランプ放熱構造において、該固定片が回路板とされ、該導電層が該回路板にレイアウトされた印刷回路とされたことを特徴とする、ＬＥＤランプ放熱構造。
【請求項９】
請求項８記載のＬＥＤランプ放熱構造において、該回路板の導電層である印刷回路が片面或いは両面に設けられることで、放熱面積が増大されたことを特徴とする、ＬＥＤランプ放熱構造。
【考案の詳細な説明】
【技術分野】
【０００１】
本考案は一種のＬＥＤランプ放熱構造に係り、特に構造が簡単で、コストが低く、且つ体積を縮小可能なＬＥＤランプ放熱構造に関する。
【背景技術】
【０００２】
ＬＥＤランプは消費電力が少なく、明るい長所を有するため、近年広く開発され、並びに各種の異なる製品に応用されている。しかし、ＬＥＤ素子は点灯作業時に相当な熱を発生し、ＬＥＤの使用寿命に影響を与える。ゆえに一般にＬＥＤランプには放熱構造が設けられ、熱を散逸させてＬＥＤに正常な動作を保持させる。周知のＬＥＤランプの放熱構造は、通常、面積が極めて大きい放熱片を用いており、これにより、製品の体積を縮小できず、且つその製造コストが高く、理想的でなかった。このことから、ＬＥＤランプ放熱構造を簡単で、コストが低く、且つ体積を縮小できるようにすることが必要である。
【考案の概要】
【考案が解決しようとする課題】
【０００３】
本考案の主要な目的は、一種のＬＥＤランプ放熱構造を提供することにあり、それは、構造が簡単で、コストが低く、且つ体積を縮小できるものとする。
【課題を解決するための手段】
【０００４】
本考案のＬＥＤランプ放熱構造は、一つ或いは複数の固定片が設けられ、該固定片に複数の挿入孔が設けられ、これら挿入孔が導電層で相互に連接され、複数のＬＥＤピンがこれら固定片の挿入孔に挿入されて、相互に離間した固定片の間が、ＬＥＤピンに嵌合されたスリーブにより位置決めされ、ＬＥＤピンが導電層にハンダ付けされ、ＬＥＤランプが構成され、ＬＥＤランプが点灯する時、その作業熱が固定片の保留する一定長さのピン、及び固定片の導電層の形成する延伸面積により発散される。本考案は以上によりＬＥＤランプの体積を縮小しつつ、放熱構造を簡易にし、コストを減らすことができる。
【０００５】
前述のＬＥＤランプ放熱構造は、該固定片が回路板とされ、該導電層は該回路板にレイアウトされた印刷回路とされる。
【０００６】
前述のＬＥＤランプ放熱構造は、該回路板の導電層の印刷回路は、片面或いは両面とされ、これにより放熱の面積を広げる。
【０００７】
前述のＬＥＤランプ放熱構造は、相互に離間したＬＥＤびピンがそれぞれ放熱片に接続され、これら固定片間が放熱片により位置決めされ、ＬＥＤが点灯する時、その作業熱が各ＬＥＤ間の放熱片により高効率で放出される。
【考案の効果】
【０００８】
本考案は導電層が設けられた複数の固定片に、固定片間に設けられたスリーブが組み合わされてなるＬＥＤランプ放熱構造であり、この構成によりＬＥＤランプ放熱構造がさらに簡易に、製造コストが低廉となり、且つその体積を縮小できるものとされ、製品の競争力を高めるものとなる。
【図面の簡単な説明】
【０００９】
【図１】本考案の立体図である。
【図２】本考案の立体分解図である。
【図３】本考案の固定片導電層の実施例図である。
【図４】本考案の立体分解図である。
【図５】本考案の第２実施例の立体図である。
【図６】本考案の第３実施例の立体図である。
【図７】本考案の第３実施例の立体分解図である。
【図８】本考案の第３実施例のＬＥＤと放熱片の立体分解図である。
【図９】本考案の放熱片組立実施例図である。
【図１０】本考案の第４実施例の立体図である。
【図１１】本考案の第４実施例の立体分解図である。
【考案を実施するための形態】
【００１０】
図１及び図２を共に参照されたい。図１は本考案の立体図、図２は本考案の立体分解図である。本考案は、一つ或いはそれ以上の固定片１が設けられ、該固定片１に複数の挿入孔１１が設けられ、これら挿入孔１１が導電層１２で相互に連接される。本実施例では、該固定片１は回路板とされ、該導電層１２は回路板にレイアウトされた印刷回路とされる。該回路板導電層の印刷回路は、片面或いは両面とされ得る。
【００１１】
本考案を組み立てる時は、図示される実施例のように、複数のＬＥＤ２がピン２１で二つの固定片１の挿入孔１１に挿入された後、相互に離間した固定片１の間において、適宜長さで中空状のスリーブ３が異なる位置のＬＥＤ２のピン２１に嵌合され、これらスリーブ３の上端と下端が二つの固定片１に保持され、位置決めが形成される。ＬＥＤ２のピン２１は固定片１の導電層１２にハンダ付けされる。
【００１２】
前述の部品の組合せにより、ＬＥＤランプ１００が構成され、これら固定片１の導電層１２に電源が投入された後、ＬＥＤ２が点灯し、その作業時に発生する熱は、二つの固定片１の間に一定長さのピン２１が保留され、及び、固定片１の導電層１２が形成する延伸面積により発散され、これによりＬＥＤランプ１００の体積が縮小され、且つ放熱構造がさらに簡易とされ、製造コストが低減される。
【００１３】
図３及び図４を参照されたい。図３は本考案の固定片導電層の実施例図である。図示されるように、本考案の導電層１２は固定片１において延伸、レイアウトされて一定の放熱面積を形成し、ＬＥＤのピンが挿入孔１１にハンダ付けされた後、その発生する熱はピンより導電層１２に伝わり、発散される。図４に示されるように、本考案の導電層１２は必要によりその幅が増され、これにより放熱の面積が増され、放熱の効率がアップされる。
【００１４】
図５は本考案の第２実施例を示す。図示されるように、本考案は第１実施例のように二つの固定片１を設けるほか、使用するＬＥＤ２のパワーが高い時、また放熱の必要により、もう一つの固定片１を増設できる。同様に、複数のＬＥＤ２がピン２１で二つの固定片１の挿入孔１１に挿入された後、相互に離間した固定片１の間において、異なる位置のＬＥＤ２のピン２１に、適宜長さで且つ中空状のスリーブ３が嵌合され、スリーブ３の上端と下端がそれぞれ二つの固定片１に保持されて位置決めが形成される。ＬＥＤ２のピン２１が固定片１の導電層１２にハンダ付けされ、これにより放熱の面積が増され、ＬＥＤ２が点灯する時、その作業により発生する熱は三つの固定片１の間に一定長さのピン２１が保留され、また固定片１の導電層１２の形成する延伸面積により、発散される。
【００１５】
図６及び図７を共に参照されたい。並びに図８も併せて参照されたい。これらは本考案の第３実施例の立体図、立体分解図及びＬＥＤと放熱片の立体分解図である。これらの図に示されるように、本考案の第３実施例は、複数の放熱片４を包含し、本実施例では、放熱片４は片体４１を具え、該片体４１の両側に管状の嵌合部４２が設けられ、該嵌合部４２にスリット４２１が設けられて適宜弾性を具備するものとされている。
【００１６】
第３実施例の組立時には、複数のＬＥＤ２がピン２１で固定片１の挿入孔１１に挿入された後、相互に離間したＬＥＤ２のピン２１が放熱片４の嵌合部４２に挿入され、さらに別の固定片１の挿入孔１１に挿入される。該嵌合部４２にはスリット４２１が設けられているため、適宜な弾性を有し、このためピン２１の挿入に便利であり、且つピン２１が嵌合部４２に通された後、それを挟持固定し、該放熱片４の上端と下端がそれぞれ二つの固定片１に保持されて位置決めが形成され、ＬＥＤ２のピン２１が固定片１の導電層１２にハンダ付けされる。
【００１７】
前述の部品の組合せにより、ＬＥＤ２が点灯する時、その作業時に発生する熱は、二つの固定片１の間に一定長さのピン２１が保留され、及び、固定片１の導電層１２が形成する延伸面積により発散され、及び各ＬＥＤ２のピン２１間を連結する放熱片４により発散され、且つ放熱効果が高められる。
【００１８】
図９は本考案の放熱片組立実施例図である。図示されるように、この実施例において、本考案の放熱片４は各ＬＥＤ２のピン２１間を連結し、そのうち、放熱片４の連結に合わせるために、各ＬＥＤ２のピン２１の配列方式は、「＋、−、−、＋、＋、−・・・」とされ、ＬＥＤ２のピン２１のプラス、マイナス電源の供給が正常に保持される。
【００１９】
図１０と図１１は本考案の第４実施例を示し、この実施例では放熱片４が片体４３とされて、各ＬＥＤ２のピン２１間に置かれ、さらにＬＥＤ２のピン２１と片体４３がハンダ付けにより固定され、さらにピン２１が別の固定片１の挿入孔１１に挿入され、放熱片４の上端と下端がそれぞれ二つの固定片１に保持されて位置決めが形成され、ＬＥＤ２のピン２１が固定片１の導電層１２にハンダ付けされる。
【００２０】
前述の部品の組合せにより、ＬＥＤ２が点灯する時、その作業時に発生する熱は、二つの固定片１の間に一定長さのピン２１が保留され、及び、固定片１の導電層１２が形成する延伸面積により発散され、及び各ＬＥＤ２のピン２１間を連結する放熱片４により発散され、且つ放熱効果が高められる。
【符号の説明】
【００２１】
１  固定片            １１  挿入孔        １２  導電層
２  ＬＥＤ            ２１  ピン          ３  スリーブ
１００  ＬＥＤランプ                      ４  放熱片
４１  片体            ４２  嵌合部        ４２１  スリット
４３  片体
【図１】
0003152237.tif 000003
【図２】
0003152237.tif 000004
【図３】
0003152237.tif 000005
【図４】
0003152237.tif 000006
【図５】
0003152237.tif 000007
【図６】
0003152237.tif 000008
【図７】
0003152237.tif 000009
【図８】
0003152237.tif 000010
【図９】
0003152237.tif 000011
【図１０】
0003152237.tif 000012
【図１１】
0003152237.tif 000013